(57)【要約】【課題】本発明は各種音響機器および情報通信機器に使用されるスピーカに関するものであり、スピーカの漏洩磁束の低減化が課題であった。【解決手段】プロテクタ２９を磁性材料より構成し、振動板２７と磁気回路２４の両方を覆う形状に形成することで、磁気回路２４の漏洩磁束をプロテクタによりシールドし、外部への漏洩磁束の低減を図る構成としたものである。よって本発明は構成部品を増やすことなく、漏洩磁束の低減を実現できる優れたスピーカを提供することができる。【選択図】  図１
2004247816.tif 000002
【特許請求の範囲】
【請求項１】
磁気回路と、この磁気回路に結合されたフレームと、このフレームの外周部に結合された振動板と、この振動板に結合されるとともに、その一部が前記磁気回路の磁気ギャップに配置されたボイスコイルと、前記フレームの外周部に結合され前記振動板を覆うように配置されたプロテクタとからなるスピーカであって、前記プロテクタは磁性材料より構成され、少なくとも前記磁気回路の一部を覆い当該磁気回路の漏洩磁束をシールドする形状に形成したスピーカ。
【請求項２】
プロテクタは略有底円筒形状で形成された請求項１記載のスピーカ。
【請求項３】
プロテクタは振動板を覆う面と、磁気回路の１つの面を覆う面との２面から形成された請求項１記載のスピーカ。
【請求項４】
プロテクタは振動板を覆う面と、磁気回路の２つの面を覆う面との３面から形成された請求項１記載のスピーカ。
【請求項５】
プロテクタは振動板を覆う面と、磁気回路の３つの面を覆う面との４面から形成された請求項１記載のスピーカ。
【請求項６】
プロテクタは振動板を覆う面と、磁気回路の４つの面を覆う面との５面から形成された請求項１記載のスピーカ。
【請求項７】
プロテクタは振動板を覆う面と、磁気回路の５つの面を覆う面との６面から形成された請求項１記載のスピーカ。
【請求項８】
プロテクタは略直方体形状で形成された請求項１記載のスピーカ。
【請求項９】
プロテクタは磁気回路の全部を覆う形状に形成した請求項１記載のスピーカ。
【請求項１０】
プロテクタは編組ネットを使用して形成した請求項１から請求項９のいずれか１つに記載のスピーカ。
【請求項１１】
プロテクタはパンチングネットを使用して形成した請求項１から請求項９のいずれか１つに記載のスピーカ。
【請求項１２】
プロテクタは磁性材料を折り曲げ加工して構成した請求項１から請求項１１のいずれか１つに記載のスピーカ。
【請求項１３】
プロテクタの端面どうしを重ね合わせて配置構成した請求項４から請求項１２のいずれか１つに記載のスピーカ。
【発明の詳細な説明】
【０００１】
【発明の属する技術分野】
本発明は各種音響機器および情報通信機器に使用されるスピーカに関するものである。
【０００２】
【従来の技術】
携帯電話の小型化に対応するために、角型やトラック型というスリムタイプのスピーカが最近では注目されつつある。そのため、ヨークを角型形状に構成してスペースファクターを向上させようとしているものが多い。
【０００３】
従来のスピーカについて図１０により説明する。
【０００４】
図１０は従来のスピーカの断面図を示したものである。図１０によると、角型のマグネット１をヨーク３と上部プレート２により挟持して磁気回路４を構成している。この磁気回路４のヨーク３にフレーム６を結合している。そして、このフレーム６の周縁部に振動板７を接着し、この振動板７にこれを駆動させるためのボイスコイル８を結合し、このボイスコイル８を磁気ギャップ５にはまり込むように結合している。このフレーム６の周縁部は振動板７を覆うように合成樹脂製のプロテクタ９を結合して構成している。
【０００５】
なお、この出願の発明に関連する先行技術文献情報としては、例えば、特許文献１および特許文献２が知られている。
【０００６】
【特許文献１】
特開平０１−１２７９１号公報
【特許文献２】
特開昭６３−２６８４００号公報
【０００７】
【発明が解決しようとする課題】
上述のスピーカは、角型の磁気回路４を有しているため、スピーカを搭載しようとする携帯電話等のシステム内搭載部品の相互配置の関係上小型化を図れる利点がある。また、最近の市場ニーズとしてスピーカの高出力の要求が非常に高く、この対応のためにマグネットの体積増大やエネルギー積の高いマグネットの使用等が設計上実施されている。
【０００８】
従って、磁気回路４からの漏洩磁束は大きくなり、搭載されている他部品との距離もシステムの小型化や高密度配置設計の関係上小さくなり、他の部品に漏洩磁束により悪影響を与えるという問題を抱えるものであった。この悪影響は、磁気回路が外磁型タイプのスピーカでは特に大きいものであった。
【０００９】
本発明は、上記課題を解決するもので、磁気回路４からの漏洩磁束の低減を実現できる優れたスピーカを提供するものである。
【００１０】
【課題を解決するための手段】
上記課題を解決するために、本発明は以下の構成を有する。
【００１１】
本発明の請求項１に記載の発明は、磁気回路とフレームと振動板とボイスコイルと、振動板を覆うように配置されたプロテクタとからなるスピーカであって、プロテクタは磁性材料より構成し、少なくとも前記磁気回路の一部を覆い当該磁気回路の漏洩磁束をシールドする形状に形成したものである。これにより、磁気回路の漏洩磁束をプロテクタによりシールドすることができ、外部への漏洩磁束の低減を図ることができる。
【００１２】
本発明の請求項２に記載の発明は、請求項１記載の発明において、プロテクタは略有底円筒形状で形成したものである。これにより、外形が丸型の磁気回路を体積効率良く包み込み、漏洩磁束をシールドすることができ、外部への漏洩磁束の低減を図ることができる。
【００１３】
本発明の請求項３に記載の発明は、請求項１記載の発明において、プロテクタは振動板を覆う面と、磁気回路の１つの面を覆う面との２面から形成したものである。これにより、必要とされる磁気回路の１つの面を集中的にシールドすることができ、必要な場所でのみ外部への漏洩磁束の低減を図ることができる。
【００１４】
本発明の請求項４に記載の発明は、請求項１記載の発明において、プロテクタは振動板を覆う面と、磁気回路の２つの面を覆う面との３面から形成したものである。これにより、必要とされる磁気回路の２つの面を集中的にシールドすることができ、必要な場所でのみ外部への漏洩磁束の低減を図ることができる。
【００１５】
本発明の請求項５に記載の発明は、請求項１記載の発明において、プロテクタは振動板を覆う面と、磁気回路の３つの面を覆う面との４面から形成したものである。これにより、必要とされる磁気回路の３つの面を集中的にシールドすることができ、必要な場所でのみ外部への漏洩磁束の低減を図ることができる。
【００１６】
本発明の請求項６に記載の発明は、請求項１記載の発明において、プロテクタは振動板を覆う面と、磁気回路の４つの面を覆う面との５面から形成したものである。これにより、必要とされる磁気回路の４つの面を集中的にシールドすることができ、必要な場所でのみ外部への漏洩磁束の低減を図ることができる。
【００１７】
本発明の請求項７に記載の発明は、請求項１記載の発明において、プロテクタは振動板を覆う面と、磁気回路の５つの面を覆う面との６面から形成したものである。これにより、磁気回路の全面をシールドすることができ、全方向の外部への漏洩磁束の低減を図ることができる。
【００１８】
本発明の請求項８に記載の発明は、請求項１記載の発明において、プロテクタは略直方体形状で形成したものである。これにより、スピーカの配置を他の部品との配置密度を効率良く保ちながらシールドすることができ、漏洩磁束の低減を図ることができる。
【００１９】
本発明の請求項９に記載の発明は、請求項１記載の発明において、プロテクタは磁気回路の全部を覆う形状に形成したものである。これにより、磁気回路の全部をシールドすることができ、漏洩磁束の大きな低減を図ることができる。
【００２０】
本発明の請求項１０に記載の発明は、請求項１記載の発明において、プロテクタは編組ネットを使用して形成したものである。これにより、プロテクタおよびスピーカの軽量化と低コスト化を図ることができる。
【００２１】
本発明の請求項１１に記載の発明は、請求項１記載の発明において、プロテクタはパンチングネットを使用して形成したものである。これにより、プロテクタおよびスピーカの軽量化と低コスト化を図ることができる。
【００２２】
本発明の請求項１２に記載の発明は、請求項１から請求項１１のいずれか１つに記載の発明において、プロテクタは磁性材料を折り曲げ加工して構成したものである。これにより、プロテクタおよびスピーカの生産性の向上と低コスト化を図ることができる。
【００２３】
本発明の請求項１３に記載の発明は、請求項４から請求項１２のいずれか１つに記載の発明において、プロテクタの端面どうしを重ね合わせて配置構成したものである。これにより、プロテクタの端面が重ね合わされた部分には大きなシールド効果を持たせることができる。
【００２４】
【発明の実施の形態】
以下、本発明の実施の形態について図面を用いて説明する。なお、各実施の形態の説明については、実施の形態１と同様のものはその説明を省略しながら説明する。
【００２５】
（実施の形態１）
以下、実施の形態１を用いて、本発明の特に請求項１および請求項４に記載の発明について説明する。図１は、本発明の実施の形態１のスピーカの断面図を示し、図２は同スピーカのプロテクタの斜視図を示したものである。
【００２６】
図１、図２によると、角型のマグネット２１をヨーク２３と上部プレート２２により挟持して磁気回路２４を構成している。この磁気回路２４のヨーク２３を接触させながらフレーム２６に磁気回路２４を圧入し、その接触面に接着剤を塗布して結合している。このフレーム２６の周縁部に振動板２７を接着し、この振動板２７にこれを駆動させるためのボイスコイル２８を結合し、このボイスコイル２８を磁気ギャップ２５にはまり込むように結合している。
【００２７】
そして、振動板２７と磁気回路２４の一部を覆う形状に形成した磁性材料よりなるプロテクタ２９をフレーム２６に結合してスピーカを完成させていた。
【００２８】
この構成により、磁気回路２４の漏洩磁束をプロテクタ２９によりシールドすることができ、外部への漏洩磁束の低減を図ることができる。
【００２９】
ここで、プロテクタ２９は図２に示すように放音孔３０を有する主面２９ａと、右側面２９ｂと左側面２９ｃの３面形状に構成している。この３面形状とすることで、振動板を覆う面以外の２つの磁気回路面を覆うことで、必要とされる２つの磁気回路面の漏洩磁束をシールドすることができ、外部への漏洩磁束の低減を図ることができる。
【００３０】
以上の構成は、内磁型の磁気回路２４について説明したが、外磁型の磁気回路についても適用することができ、この場合は、ヨーク２３が存在しない分さらにシールド効果を大きく発揮させることができる。よって、磁性材料よりなるプロテクタ２９により外部への漏洩磁束を大きく低減させることができる。
【００３１】
（実施の形態２）
以下、実施の形態２を用いて、本発明の特に請求項２に記載の発明について説明する。図３は、本発明の実施の形態２のプロテクタ２９の斜視図を示したものである。
【００３２】
図３によると、プロテクタ２９は円形の主面２９ｄと外周面２９ｅよりなる略有底円筒形状で形成したものである。
【００３３】
この構成により、外形が丸型の磁気回路を覆う場合は、体積効率良く包み込み、漏洩磁束をシールドすることができ、外部への漏洩磁束の低減を図ることができる。また、プロテクタ２９の生産性も良好で、低コスト化を実現することができる。
【００３４】
詳細説明については、前記同様であるため省略する。
【００３５】
（実施の形態３）
以下、実施の形態３を用いて、本発明の特に請求項３および請求項１２に記載の発明について説明する。図４は、本発明の実施の形態３のプロテクタ２９の斜視図を示したものである。
【００３６】
図４によると、あらかじめ外形抜きを実施した一枚のシールド状の金属材料を折り曲げ加工して、主面２９と右側面２９ｂの２面形状に構成している。この２面形状とすることで、振動板を覆う面以外の１つの磁気回路面を覆うことで、この１つの磁気回路面の漏洩磁束をシールドすることができ、外部への漏洩磁束の低減を図ることができる。
【００３７】
また、一枚のシート状の金属材料を折り曲げ加工して２面形状に構成していることから、プロテクタ２９の生産性も良好で、低コスト化を実現することができる。
【００３８】
詳細説明については、前記同様であるため省略する。
【００３９】
（実施の形態４）
以下、実施の形態４を用いて、本発明の特に請求項５および請求項６に記載の発明について説明する。図５、図６は、それぞれ本発明の請求項５と請求項６の実施の形態４のプロテクタ２９の斜視図を示したものである。
【００４０】
図５によると、プロテクタ２９は主面、左右側面の外に奥端面２９ｆをもつ４面形状に構成している。この４面形状とすることで、振動板を覆う面以外の３つの磁気回路面を覆うことで、必要とされる３つの磁気回路面の漏洩磁束をシールドすることができ、外部への漏洩磁束の低減を図ることができる。
【００４１】
図６によると、プロテクタ２９は更に前端面２９ｇを付加した５面形状に構成している。この５面形状とすることで、振動板を覆う面以外の４つの磁気回路面を覆うことで、必要とされる４つの磁気回路面の漏洩磁束をシールドすることができ、外部への漏洩磁束の低減を図ることができる。
【００４２】
詳細説明については、前記同様であるため省略する。
【００４３】
（実施の形態５）
以下、実施の形態５を用いて、本発明の特に請求項７と請求項８および請求項９に記載の発明について説明する。図７は、それぞれ本発明の請求項７と請求項８と請求項９の実施の形態のプロテクタ２９の斜視図を示したものである。
【００４４】
図７によると、プロテクタ２９は更に底面２９ｈを付加した６面形状の略直方体形状に形成し、磁気回路の全面を覆う構成としている。この６面形状とすることで、振動板を含め磁気回路面の全ての面を覆うことで、磁気回路から発生する全ての方向の漏洩磁束をシールドすることができ、外部への漏洩磁束を全ての方向で大きく低減させることができる。
【００４５】
詳細説明については、前記同様であるため省略する。
【００４６】
（実施の形態６）
以下、実施の形態６を用いて、本発明の特に請求項１０および請求項１１に記載の発明について説明する。図８は、本発明の実施の形態のプロテクタ２９の斜視図を示したものである。
【００４７】
図８によると、網目状に編組されたネットや、パンチングネット材料からなるシート状の磁性材料を加工してプロテクタ２９を形成している。この構成により、あらかじめ汎用品として存在する材料を加工してプロテクタ２９を形成することができる。
【００４８】
この構成は、網目状やパンチング状で孔を有するため、多少、漏洩磁束のシールド効果は低減するものの、振動板を覆う面と磁気回路面を覆う面とを同一材料で形成することができ、外部への漏洩磁束の低減を図ることができる。
【００４９】
よって、プロテクタ２９の生産性も良好で、低コスト化を実現することができる。
【００５０】
詳細説明については、前記同様であるため省略する。
【００５１】
（実施の形態７）
以下、実施の形態７を用いて、本発明の特に請求項１３に記載の発明について説明する。図９は、本発明の実施の形態のスピーカの断面図を示したものである。
【００５２】
図９によると、プロテクタ２９は折り曲げ加工して構成した２枚の底面２９ｈ，２９ｉと、右側面２９ｂ，２９ｊとを重ね合わせて配置構成したものである。
【００５３】
この構成により、プロテクタ２９の端面が重ね合わされた部分はプロテクタ２９が２重にシールドされる構成となり、大きなシールド効果を持たせることができる。
【００５４】
詳細説明については、前記同様であるため省略する。
【００５５】
【発明の効果】
以上のように、本発明はプロテクタを磁性材料より構成し、少なくとも前記磁気回路の一部を覆う形状に形成したものであるため、磁気回路の漏洩磁束をプロテクタによりシールドすることができ、外部への漏洩磁束の低減を図ることができる。
【００５６】
よって本発明は構成部品を増やすことなく、漏洩磁束の低減を実現できる優れたスピーカを提供することができ、その工業的価値は非常に大なるものである。
【図面の簡単な説明】
【図１】本発明の実施の形態１におけるスピーカの断面図
【図２】同スピーカにおけるプロテクタの斜視図
【図３】本発明の実施の形態２におけるプロテクタの斜視図
【図４】本発明の実施の形態３におけるプロテクタの斜視図
【図５】本発明の実施の形態４におけるプロテクタの斜視図
【図６】本発明の実施の形態４におけるプロテクタの斜視図
【図７】本発明の実施の形態５におけるプロテクタの斜視図
【図８】本発明の実施の形態６におけるプロテクタの斜視図
【図９】本発明の実施の形態７におけるスピーカの断面図
【図１０】従来のスピーカの断面図
【符号の説明】
２１  マグネット
２２  上部プレート
２３  ヨーク
２４  磁気回路
２５  磁気ギャップ
２６  フレーム
２７  振動板
２８  ボイスコイル
２９  プロテクタ
【図１】
2004247816.tif 000003
【図２】
2004247816.tif 000004
【図３】
2004247816.tif 000005
【図４】
2004247816.tif 000006
【図５】
2004247816.tif 000007
【図６】
2004247816.tif 000008
【図７】
2004247816.tif 000009
【図８】
2004247816.tif 000010
【図９】
2004247816.tif 000011
【図１０】
2004247816.tif 000012